(57)【要約】【課題】社内においても外出時においても常時身につける社員証、身分証明書等のカードを収納するカードケースと警笛を一体化して災害や緊急時に、警笛を報知すると共に、発信器から電波を発信して所在を明らかにすることを目的とする。【解決手段】  社員証、身分証明書等のカードを収納するカード収納部とその上部にネックストラップを挿通するための３つの孔を設けたネックストラップ取付部を備えたカードケースであって、該カード収納部の下部に、災害や緊急時に警笛を鳴らして報知する警笛部と電波を発信して所在を明らかにする発信器を付設したことを特徴とする。【選択図】図１
2018102920.tif 000002
【特許請求の範囲】
【請求項１】
社員証、身分証明書等のカードを収納するカード収納部とその上部にネックストラップを挿通するための３つの孔を設けたネックストラップ取付部を備えたカードケースであって、該カード収納部の下部に、災害や緊急時に警笛を鳴らして報知する警笛部と電波を発信して所在を明らかにする発信器を付設したことを特徴とする警笛及び発信器を一体化したカードケース。
【請求項２】
前記警笛部は、前記カード収納部の下部に対して横向きに付設し、前記カード収納部の横幅と同じ長さとしたことを特徴とする請求項１記載の警笛及び発信器を一体化したカードケース。
【請求項３】
前記警笛部は、横向きに付設した警笛部の一方に空気を吹き込む吹き口を設け、災害や緊急時に警笛を鳴らして報知することを特徴とする請求項２記載の警笛及び発信器を一体化したカードケース。
【請求項４】
前記警笛部は、２つの構成要部からなり、一方の構成要部は前記カード収納部に溶接されて一体とされ、他方の構成要部は、前記一方の構成要部と別体とされ、前記一方の構成要部に溶接されて警笛部を構成したことを特徴とする請求項１乃至３の何れかに記載の警笛及び発信器を一体化したカードケース。
【請求項５】
前記発信器は、微弱電波、ＧＰＳ、Ｗｉ-Ｆｉ、ブルートゥース（登録商標）規格等からなる微弱電波を発信する小型微弱電波発信機を備えたことを特徴とする請求項１記載の警笛及び発信器を一体化したカードケース。
【発明の詳細な説明】
【技術分野】
【０００１】
本発明は、社員証、身分証明書等のカードを収納して、使用者の首から吊り下げて携帯するカードケースに、警笛及び発信器を一体化して、災害や緊急時に、警笛を鳴らして報知すると共に、発信器から電波を発信して所在を明らかにする警笛及び発信器を一体化したカードケースに関するものである。
【背景技術】
【０００２】
地震、洪水、交通事故などの災害や緊急時に遭遇した際に、倒壊した建物、トンネルの中、地下鉄の構内などに閉じ込められてしまう虞がある。このような場所から一刻も早く外部に脱出するには、大声を出して外部の救護者に自分の居場所を知らせることであるが、体力を消耗するだけで大きな効果は得られない。それに代わるものとして、笛により警笛を鳴らす方が大声を出すより体力の消耗が少なく、外部に知らせるには遥かに効果的である。従って、クレジットカード、キャッシュカードと組み合わせた（特許文献１）ものや名札と一体にした（特許文献２）ものが知られている。
【先行技術文献】
【特許文献】
【０００３】
【特許文献１】特開２００７−６２３４２号公報
【特許文献２】特開２００５−２３４５１２号公報
【発明の開示】
【発明が解決しようとする課題】
【０００４】
しかしながら、クレジットカード、キャッシュカードは何時でも何処でも所有するものではなく、また、名札については必要とされるところでは所有するが、常時所有するものではない。本発明は、社内においても外出時においても常時身につける社員証、身分証明書等のカードを収納するカードケースと警笛を一体化して災害や緊急時に、警笛を報知すると共に、発信器から電波を発信して所在を明らかにすることを目的とする。
【課題を解決するための手段】
【０００５】
上記目的を達成するため、請求項１記載の発明は、社員証、身分証明書等のカードを収納するカード収納部とその上部にネックストラップを挿通するための３つの孔を設けたネックストラップ取付部を備えたカードケースであって、該カード収納部の下部に、災害や緊急時に警笛を鳴らして報知する警笛部と電波を発信して所在を明らかにする発信器を付設したことを特徴とするものである。
【０００６】
また、請求項２記載の発明は、請求項１記載の警笛及び発信器を一体化したカードケースであって、警笛部は、カード収納部の下部に対して横向きに付設し、カード収納部の横幅と同じ長さとしたことを特徴とするものである。
【０００７】
また、請求項３記載の発明は、請求項２記載の警笛及び発信器を一体化したカードケースであって、警笛部は、横向きに付設した警笛部の一方に空気を吹き込む吹き口を設け、災害や緊急時に警笛を鳴らして報知することを特徴とするものである。
【０００８】
また、請求項４記載の発明は、請求項１乃至３の何れかに記載の警笛及び発信器を一体化したカードケースであって、警笛部は、２つの構成要部からなり、一方の構成要部はカード収納部に溶接されて一体とされ、他方の構成要部は、一方の構成要部と別体とされ、一方の構成要部に溶接されて警笛部を構成したことを特徴とするものである。
【０００９】
また、請求項５記載の発明は、請求項１記載の警笛及び発信器を一体化したカードケースであって、発信器は、微弱電波、ＧＰＳ、Ｗｉ-Ｆｉ、ブルートゥース（登録商標）規格等からなる微弱電波を発信する小型微弱電波発信機を備えたことを特徴とするものである。
【発明の効果】
【００１０】
請求項１記載の警笛及び発信器を一体化したカードケースによれば、社員証、身分証明書等のカードを収納するカード収納部とその上部にネックストラップを挿通するための３つの孔を設けたネックストラップ取付部を備えたカードケースであって、該カード収納部の下部に、災害や緊急時に警笛を鳴らして報知する警笛部と電波を発信して所在を明らかにする発信器を付設したので、常時身につける社員証、身分証明書等のカードを収納するカードケースと警笛を一体化して災害や緊急時に、警笛を報知すると共に、発信器から電波を発信して所在を明らかにすることが出来る。
【００１１】
また、請求項２記載の警笛及び発信器を一体化したカードケースによれば、警笛部は、カード収納部の下部に対して横向きに付設し、カード収納部の横幅と同じ長さとしたので、カードケースを携帯する際に警笛が邪魔になることはない。
【００１２】
また、請求項３記載の警笛及び発信器を一体化したカードケースによれば、警笛部は、横向きに付設した警笛部の一方に空気を吹き込む吹き口を設け、災害や緊急時に警笛を鳴らして報知するので、災害や緊急時に速やかに警笛を鳴らして報知することが出来る。
【００１３】
また、請求項４記載の警笛及び発信器を一体化したカードケースによれば、警笛部は、２つの構成要部からなり、一方の構成要部はカード収納部に溶接されて一体とされ、他方の構成要部は、一方の構成要部と別体とされ、一方の構成要部に溶接されて警笛部を構成したので、容易にカードケースに警笛部を組み込むことが可能となる。
【００１４】
また、請求項５記載の警笛及び発信器を一体化したカードケースによれば、発信器は、微弱電波、ＧＰＳ、Ｗｉ-Ｆｉ、ブルートゥース（登録商標）規格等からなる微弱電波を発信する小型微弱電波発信機を備えたので、警笛を報知する力がなくなっても発信器から電波を発信して所在を明らかにすることが出来る。
【図面の簡単な説明】
【００１５】
【図１】本発明による警笛及び発信器を一体化したカードケースの使用状態を示した外観斜視図である。
【図２】本発明による警笛及び発信器を一体化したカードケースの正面図である。
【図３】本発明による警笛及び発信器を一体化したカードケースの背面図である。
【図４】本発明による警笛及び発信器を一体化したカードケースの警笛部と発信器を分解した分解斜視図である。
【発明を実施するための形態】
【実施例】
【００１６】
以下、本発明の実施の形態について、図面を参照して説明する。図１は本発明による警
笛を一体化したカードケースの使用状態を示した外観斜視図であり、１は警笛を一体化したカードケースで、社員証とか身分証明書のようなカード２を収納するカード収納部３とその上部にネックストラップ４を挿通するための３つの孔５を設けたネックストラップ取付部６を備え、カード収納部３の下部に警笛部７及び電波を発信して所在を明らかにする発信器１０が一体化され付設されている。
【００１７】
警笛部７は、図１及び図２に示すように、カード収納部３の下部に対して横向きに付設され、その長さはカード収納部３の横幅と同じ長さである。警笛部７は、横向きに付設した一方に空気を吹き込む吹き口８と吹き込んだ空気を排出する排出口９を設け、災害や緊急時に警笛を鳴らして報知する。
【００１８】
カード収納部３は、図１及び図３に示すように、社員証とか身分証明書のようなカード２が挿入できる厚さを持ち、カード収納部３の裏側は、カード２を出し入れするための挿入部１１と収納したカード２を取り出し易くする取り出し孔１２が形成されている。カード収納部３の厚さは、どのようなカード２に対しても対応できるようにされているが、薄いカード２を収納する場合に、カード２を止めるストッパー１３が上下２ヵ所に設けられている。
【００１９】
警笛部７は、図４に示すように、２つの構成要部１４、１５から構成され、一方の構成要部１４はカード収納部３と一体にされている。他方の構成要部１５は一方の構成要部１４とは別体とされ、一方の構成要部１４に溶接して警笛部７を形成する。
【００２０】
発信器１０は、図１から図４に示すように、横向きカード収納部３の下部に対して横向きに付設された警笛部７に並設され、内部に微弱電波、ＧＰＳ、Ｗｉ-Ｆｉ、ブルートゥース（登録商標）規格等からなる微弱電波を発信する小型微弱電波発信機が内蔵される。
【００２１】
本発明の警笛及び発信器を一体化したカードケースの作用を説明する。防災用の警笛はどの家庭でも１つや２つは揃えてあるが、通常の生活では災害への意識の低下により常時身につけて携帯しなくなる。一方、社員証、身分証明書等のカードが収納されたカードケース１は、普段から持ち歩くものであり、警笛部７をカードケース１に一体化すれば、災害や緊急時に遭遇した場合に警笛を鳴らして報知することが出来る。また、電波を発信して所在を明らかにする発信器１０が一体化され、発信器１０には、微弱電波、ＧＰＳ、Ｗｉ-Ｆｉ、ブルートゥース（登録商標）規格等からなる微弱電波を発信する小型微弱電波発信機を備えたので、警笛を報知する力がなくなっても発信器から電波を発信して所在を明らかにすることが出来る。
【００２２】
以上説明したように、本発明によれば、社員証、身分証明書等のカードを収納するカード収納部とその上部にネックストラップを挿通するための３つの孔を設けたネックストラップ取付部を備えたカードケースであって、該カード収納部の下部に、災害や緊急時に警笛を鳴らして報知する警笛部と電波を発信して所在を明らかにする発信器を付設したので、常時身につける社員証、身分証明書等のカードを収納するカードケースと警笛を一体化して災害や緊急時に、警笛を報知すると共に、発信器から電波を発信して所在を明らかにすることが出来る。
【符号の説明】
【００２３】
１  カードケース
２  カード
３  カード収納部
４  ネックストラップ
６  ネックストラップ取付部
７  警笛部
８  吹き口
９  排出口
１０  発信器
【図１】
2018102920.tif 000003
【図２】
2018102920.tif 000004
【図３】
2018102920.tif 000005
【図４】
2018102920.tif 000006